(57)【特許請求の範囲】
【請求項１】
使用者が立った状態で全身にシャワーを浴びることができるように壁面に取り付けられるシャワー装置であって、
該シャワー装置は、壁面に取り付けられた本体と、該本体の側面に対し回動可能な上部アームと下部アームを備え、
前記上部アームと下部アームの収納状態では、該上部アーム，下部アームのそれぞれに設けられているシャワーノズルが前記本体側に隠蔽されるとともに、前記本体と前記上部アーム，下部アームの表面が凹凸のない同一面形状となることを特徴とするシャワー装置。
【請求項２】
前記下部アームは、垂直な軸を介し水平面内で回動可能に設けられていることを特徴とする請求項１に記載のシャワー装置。
【請求項３】
前記本体の表面は、上端から下端まで連続した平面形状に形成されていることを特徴とする請求項１または請求項２に記載のシャワー装置。
【発明の詳細な説明】
【技術分野】
【０００１】
本発明は、設置状態の美観が優れ、インテリア性が向上したシャワー装置に関するものである。
【背景技術】
【０００２】
従来、特許文献１に開示されているように、シャワールームを構成する壁パネルにシャワーポールを立設し、シャワーポールの複数個の給湯口からシャワー水を噴出させるように構成したシャワーユニットが存在する。
【特許文献１】実公平７−４８１５２号公報
【発明の開示】
【発明が解決しようとする課題】
【０００３】
特許文献１に開示されているシャワー装置では、下部に足元シャワーを備えているが、この足元シャワーからのシャワー水の角度を変えることはできず、足へのシャワーの当たり位置を自由に調整することができないという問題点があった。
また、シャワー水を噴出させるノズルが露出しているために、シャワー装置として美観が悪く、設置される浴室等の空間のインテリア性が悪くなるという問題点があった。
【課題を解決するための手段】
【０００４】
本発明は上記従来の問題点に鑑み案出したものであって、設置状態の美観に優れ、またシャワー水の角度を良好に調整することのできるシャワー装置を提供するものであり、その請求項１は、使用者が立った状態で全身にシャワーを浴びることができるように壁面に取り付けられるシャワー装置であって、該シャワー装置は、壁面に取り付けられた本体と、該本体の側面に対し回動可能な上部アームと下部アームを備え、前記上部アームと下部アームの収納状態では、該上部アーム，下部アームのそれぞれに設けられているシャワーノズルが前記本体側に隠蔽されるとともに、前記本体と前記上部アーム，下部アームの表面が凹凸のない同一面形状となることである。
【０００５】
また、請求項２は、前記下部アームは、垂直な軸を介し水平面内で回動可能に設けられていることである。
【０００６】
また、請求項３は、前記本体の表面は、上端から下端まで連続した平面形状に形成されていることである。
【発明の効果】
【０００７】
本発明のシャワー装置は、壁面に取り付けられた本体と、該本体の側面に対し回動可能な上部アームと下部アームを備え、上部アームと下部アームの収納状態では、上部アーム，下部アームのそれぞれに設けられているシャワーノズルが本体側に隠蔽されるとともに、本体と上部アーム，下部アームの表面が凹凸のない同一面形状となることにより、収納状態ではシャワーノズルが隠蔽され、シャワー装置の表面が凹凸のない同一面形状となるため、すっきりとした美観を呈し、設置される浴室等の空間のインテリア性を向上させることができ、また表面を一拭きで掃除することができ、清掃性が向上するものとなる。
【０００８】
また、前記下部アームは、垂直な軸を介し水平面内で回動可能に設けられていることにより、任意の位置に下部アームを回動させてシャワー水の噴出角度を設定することができ、足へのシャワーの当たり位置を自由に調整することができるものとなる。
また、回動させて収納させた状態では、シャワーノズルが隠蔽されて凹凸のない状態に下部アームが本体と連続状をなして、すっきりとした美観を呈することができるものとなる。
【０００９】
また、前記本体の表面は、上端から下端まで連続した平面形状に形成されていることにより、本体の表面は平面形状であるため、複雑な成型を要することなく製造することができ、また、表面の表層材として鏡または化粧面材等を用いることができ、表層材の色，素材を選択することにより、あたかも壁の一部であるかのような外観とすることができ、インテリア性が向上するものとなり、また、鏡の場合は全身を映し出すことができて、姿見として良好に使用することができるものとなる。
【実施例】
【００１０】
以下、本発明の実施例を図面に基づいて説明する。
図１は、浴室，シャワールーム，トレーニングルーム等の壁面Ｗに設置されるシャワー装置の外観斜視図であり、シャワー装置１は、壁面Ｗに取り付けられる縦長状の本体２の左右両側面に、上部アーム３とハンドシャワー４と下部アーム５が設けられている。
本体２の表面２ａは図１５の平面構成図で示すように、前方側へ緩やかに湾曲した形状に形成されており、この本体２の表面２ａの湾曲に連続した湾曲形状に上部アーム３，ハンドシャワー４，下部アーム５の各表面が形成されて、上部アーム３，ハンドシャワー４，下部アーム５が収納された図１の状態では、本体２とこれらの部材の表面が凹凸のない同一面形状となって、すっきりとした美観を呈するように構成されている。
【００１１】
なお、本体２の表面２ａは、上端から下端まで連続しており、この表面２ａには鏡が設けられる場合があり、表面２ａに鏡を設けた場合は、この鏡により使用者は全身を映し出すことができて、ボディチェック等を行うことができ、美容，健康増進に貢献できるものとなる。
なお、表面２ａを磨き処理して鏡面状に形成することもでき、更には、表面２ａに、色，素材の異なる化粧面材等の表層材を貼着等して構成することができ、貼着した化粧面材により設置される浴室等の壁面Ｗと同調させて、あたかも壁面Ｗの一部であるかのような外観に構成することができ、また、壁面Ｗの壁材とコーディネートすれば、空間内に溶け込むような仕上がりとなり、設置される浴室等の空間のインテリア性を向上させることができるものとなる。
【００１２】
なお、この本体２の表面２ａには、上端側に上部固定シャワー吐水口６が横長状に形成されており、この上部固定シャワー吐水口６から横長状にシャワー水を噴出させることができるものである。
また、表面２ａの下部中央部には下部吐水口７が設けられており、この下部吐水口７から整流の湯水を吐出させることができるように構成されている。更に、下部吐水口７の下方には、洗面器置き台を引き出し可能に開口８が形成されている。
なお、上部固定シャワー吐水口６は、横長状に限らず、円形の滝状に湯水を吐出させることができるように形成されたものであっても良い。
【００１３】
先ず、本体２の上部の左右側に設けられている上部アーム３，３の使用状態を図２及び図３で示す。
この左右の上部アーム３，３には、本体２の側端面２ｂ，２ｂ側に面してシャワーノズル３ａ，３ａ，３ａが縦方向に間隔を置いて設けられており、各シャワーノズル３ａ，３ａからシャワー水を噴出させることができるものであり、上部アーム３の下端の背側に軸が設けられており、この軸を介して上下方向に回動させ、上部アーム３は図２のような状態から、図３のように略水平状にでき、任意の位置でシャワー水を噴出させることができるものである。
【００１４】
図２の状態では、左右の上部アーム３，３の間に使用者が立つことにより、肩の付近にシャワー水を噴出させることができ、また図３では、座った状態で良好に上半身にシャワー水を噴出させることができるものである。
なお、左右の上下アーム３，３は、図１のように収納状態では、シャワーノズル３ａ，３ａ，３ａは本体２の側端面２ｂと整合されて、前側からはこのシャワーノズル３ａ，３ａは見えなくなり、すっきりとした収納状態が得られるものである。
【００１５】
次に図４では、シャワー装置の下部の拡大斜視図を示しており、左右の下部アーム５をそれぞれ使用状態に回動させた状態を示している。
この左右の下部アーム５は、収納状態では図５の水平方向の断面図で示すように、内側に設けられているシャワーノズル５ａ，５ａが本体２の側端面２ｂと整合して前面側からは隠蔽された状態となり、使用時には図６のようにシャワーノズル５ａを前面側へ向かせて、シャワーノズル５ａから前方へ向かってシャワー水を噴出させることができるように構成されており、下部アーム５は垂直な回転軸９を軸として水平面内で回動可能に構成されている。
【００１６】
即ち、例えば図７の縦断面構成図で示すように、下部アーム５の上端に垂直な回転軸９が設けられており、この回転軸９内には湯水の通る通水路９ａが形成され、通水路９ａから下部アーム５内に湯水を供給して各シャワーノズル５ａ，５ａから湯水を噴出させることができるものである。このように、回転軸９を介して水平面内で下部アーム５を回動させ、任意の角度にシャワーノズル５ａを設定して、使用者の足へのシャワーの当たり位置を自由に調整することができるものとなる。
【００１７】
また、図５のように、収納した状態では、シャワーノズル５ａは隠蔽され、下部アーム５の表面と本体２の表面２ａとは凹凸のない同一面形状になるため、極めてすっきりとした美観を呈し、しかも、連続した表面となるため、本体の表面２ａおよび下部アーム５の表面の汚れ等を一拭きで拭き取ることができ、清掃性も向上するものとなる。
【００１８】
なお、本体２の表面２ａには、図８に示すような操作部１０が設けられ、この操作部１０は、本体２の表面２ａの透光性のある表層材の裏側に内照式で配置しておき、しかも浴室等の主照明と連動させて構成しておくことにより、部屋の主照明を点灯させてシャワー装置１を使用する時のみに、この図８のような操作部１０が表面２ａに出現することとなり、使用しない時には、表層材により操作部１０は隠されるため、表面２ａはすっきりとした意匠性を呈するものとなる。
【００１９】
次に、図９及び図１０は、ハンドシャワー４の取付構造を示すものであり、ハンドシャワー４には、シャワーホース４ａが接続されており、収納状態では、図９のように、本体２側に設けられている係止爪２ｃに係合凹部４ｂ，４ｂが係合されて、ハンドシャワー４は本体２に固定されており、この図９の収納状態では、ハンドシャワー４の表面は、本体２の表面２ａと凹凸のない同一面形状をなして収納されている。
【００２０】
ハンドシャワー４を使用する際には、図１０に示すように、上方の係止爪２ｃからハンドシャワー４の上部を斜め方向にして取り外し、この状態でハンドシャワー４を引き上げ、シャワーホース４ａを引き出して任意の位置で使用することができるものである。
【００２１】
次に、前記開口８から引き出し可能に設けられた洗面器置き台１１の使用状態を図１１の要部斜視図に示す。
この洗面器置き台１１は、図１２のような構成部材が本体２内に隠蔽されて設けられており、左右一対をなすレール１２，１２が本体２内に立設され、このレール１２，１２間に支持体１３が上下動可能に設けられ、支持体１３の上端には軸１４を介して回動可能に洗面器置き台１１が連結されており、洗面器置き台１１の下面には、ヒンジ１７ａ，１７ｂを有する支持用リブ１７が設けられている。
【００２２】
収納状態では、洗面器置き台１１の先端の先端引き出し部１１ａが図１３に示すように本体の開口８と面一状に収納されており、レール１２，支持体１３，洗面器置き台１１，支持用リブ１７及び固定筒部１５に設けたスプリング１６等は、全て本体２内に収納されて、前面側からは完全に隠蔽されており、すっきりとした表面２ａが視認されるものである。
【００２３】
この図１３の収納状態から、洗面器置き台の先端引き出し部１１ａを前方側から指で押すと、スプリング１６により先端引き出し部１１ａが本体の表面２ａの前方側へ飛び出し、この飛び出した先端引き出し部１１ａを手で持ち、図１４のように開口８から上方へ引き出しながら徐々に下方側、即ち水平状態に移動させることにより、洗面器置き台１１が略水平状態に本体２から突出して固定された状態になる。
上方へ引き出す時にレール１２に沿って支持体１３が上昇し、支持用リブ１７のヒンジ１７ａ，１７ｂが折り曲がって、ヒンジ１７の先端が洗面器置き台１１の係止凸部１１ｂに係合され、良好にリブ１７により洗面器置き台１１が水平状態に固定されるものである。
このように水平状態に固定させた洗面器置き台１１上には洗面器を置き、上方の下部吐水口７から吐水させて良好に洗面器内に湯を溜めて使用することができるものとなる。
【００２４】
なお、本例では、本体の表面２ａを湾曲状に形成したが、図１６の平面図で示すように、表面２ａを平面状に形成させても良く、この場合は、上部アーム３，ハンドシャワー４，下部アーム５の表面も平面状にして、収納状態では本体の表面２ａと連続した凹凸のない同一平面形状となるように構成しておき、収納状態での清掃性と美観が向上するように構成しておくことができるものである。
【図面の簡単な説明】
【００２５】
【図１】シャワー装置の収納状態の斜視構成図である。
【図２】シャワー装置の上部アームを回動させた使用状態の斜視構成図である。
【図３】更に上部アームを水平状態に回動させた使用状態の斜視構成図である。
【図４】シャワー装置の下部の下部アームの使用状態の斜視構成図である。
【図５】下部アームの収納状態の水平面内で切断した平面断面構成図である。
【図６】下部アームの使用状態の水平面内で切断した平面断面構成図である。
【図７】下部アームの縦断面構成図である。
【図８】操作部の概略正面構成図である。
【図９】ハンドシャワーの収納状態の構造図である。
【図１０】ハンドシャワーを取り出す時の状態を示す構造図である。
【図１１】洗面器置き台を使用状態に引き出した要部斜視構成図である。
【図１２】洗面器置き台を支持する構成部材の斜視構成図である。
【図１３】構成部材を本体内に収納させて洗面器置き台が収納されている状態の縦断面内部構造図である。
【図１４】図１３の状態から洗面器置き台を引き出して使用状態とした縦断面構成図である。
【図１５】図１のシャワー装置の平面構成図である。
【図１６】シャワー装置の変更例を示す平面構成図である。
【符号の説明】
【００２６】
１  シャワー装置
２  本体
２ａ  表面
２ｂ  側端面
２ｃ  係止爪
３  上部アーム
３ａ  シャワーノズル
４  ハンドシャワー
４ａ  シャワーホース
４ｂ  係合凹部
５  下部アーム
５ａ  シャワーノズル
６  上部固定シャワー吐水口
７  下部吐水口
８  開口
９  回転軸
９ａ  通水路
１０  操作部
１１  洗面器置き台
１１ａ  先端引き出し部
１２  レール
１３  支持体
１４  軸
１６  スプリング
１７  支持用リブ
１７ａ，１７ｂ  ヒンジ
【図１】
0004680817.tif 000002
【図２】
0004680817.tif 000003
【図３】
0004680817.tif 000004
【図４】
0004680817.tif 000005
【図５】
0004680817.tif 000006
【図６】
0004680817.tif 000007
【図７】
0004680817.tif 000008
【図８】
0004680817.tif 000009
【図９】
0004680817.tif 000010
【図１０】
0004680817.tif 000011
【図１１】
0004680817.tif 000012
【図１２】
0004680817.tif 000013
【図１３】
0004680817.tif 000014
【図１４】
0004680817.tif 000015
【図１５】
0004680817.tif 000016
【図１６】
0004680817.tif 000017